(57)【要約】ディジタルインタフェース（４５）によりインタラクティブテレビジョンデータを記録及び／又は再生するための方法（６，７）及び装置（８）であって、前記データが第１帯域幅を用いてＤＳＭＣＣデータ／オブジェクトカルーセル（２）によりモジュール内に伝送される、方法及び装置について開示している。その方法は、前記ＤＳＭＣＣカルーセル（２）における前記モジュールの繰り返しレートを計算する段階、前記ディジタルインタフェース（４５）から記録器の記憶媒体に前記モジュールの前記繰り返しレートと共に前記モジュールを記録する段階、並びに／若しくは、記憶媒体から及びディジタルインタフェース（４５）に対して第２ＤＳＭＣＣデータ／オブジェクトカルーセル（４）によりモジュール内の前記データを再生する段階、を有する方法であって、前記モジュールは、好適には、前記記憶媒体において前記モジュールと共に記憶される繰り返しレートにおいて、例えば、トランスポートストリームにディジタルインタフェース（４５）に対して再挿入される。
2006513666.tif 000002
【特許請求の範囲】
【請求項１】
ディジタルインタフェースによりオーディオビジュアルデータ及びアプリケーションデータのストリームを記録する方法であって、前記アプリケーションデータは第１帯域幅を用いて第１カルーセルによりモジュールにおいて伝送される、方法であり：
（ａ）前記カルーセルにおいて前記モジュールの繰り返しレートを計算する段階；及び
（ｂ）前記ディジタルインタフェースから記録器の記憶媒体に、前記モジュールの前記繰り返しレートと共に前記モジュールを記録する段階；
を有することを特徴とする方法。
【請求項２】
請求項１に記載の方法であって、前記ディジタルインタフェースはトランスポートストリームである、ことを特徴とする方法。
【請求項３】
請求項１に記載の方法であって、前記繰り返しレートは、前記モジュールが繰り返される間に、各々のモジュールの繰り返し数をカウントすることにより計算される、ことを特徴とする方法。
【請求項４】
請求項１に記載の方法であって、前記繰り返しレートは前記ストリームの各々のセグメントに対して記憶される、ことを特徴とする方法。
【請求項５】
請求項１に記載の方法であって、前記モジュールの順序は前記記憶媒体に記憶される、ことを特徴とする方法。
【請求項６】
請求項５に記載の方法であって、前記モジュールの前記順序又は前記記憶媒体におけるファイルに記憶されている前記モジュールの前記順序は、前記記憶媒体における前記モジュールのファイル構造に含まれる、ことを特徴とする方法。
【請求項７】
請求項１に記載の方法であって、Ｄｏｗｎｌｏａｄ  Ｓｅｒｖｉｃｅ  Ｉｎｉｔｉａｔｉｖｅ（ＤＳＩ）及びＤｏｗｎｌｏａｒｄ  Ｉｎｆｏ  Ｉｎｄｉｃａｔｉｏｎ（ＤＩＩ）メッセージは前記モジュールに含まれる、ことを特徴とする方法。
【請求項８】
ディジタルインタフェースによりアプリケーションデータ及びオーディオビジュアルデータのストリームを記録するための装置であって、前記データは第１帯域幅を用いて第１カルーセルによりモジュール内を伝送される、装置であり：
（ａ）ＤＳＭＣＣにおける前記モジュールの繰り返しレートを計算するための処理ユニット；及び
（ｂ）前記ディジタルインタフェースから前記装置の記憶媒体に、前記モジュールの前記繰り返しレートと共に前記モジュールを記録するための記憶器；
を有することを特徴とする装置。
【請求項９】
ディジタルインタフェースによりオーディオビジュアルデータ及びアプリケーションデータのストリームを記録するために、コンピュータにより処理するためのコンピュータプログラムを具現化したコンピュータ読み取り可能媒体であって、前記データは第１帯域幅を用いてカルーセルによりモジュール内を伝送される、コンピュータ読み取り可能媒体であり：
（ａ）前記カルーセルにおいて前記モジュールの繰り返しレートを計算するための第１コードセグメント；及び
（ｂ）前記ディジタルインタフェースから記録器の記憶媒体に前記モジュールの前記繰り返しレートと共に前記モジュールを記録するための第２コードセグメント；
を有することを特徴とするコンピュータ読み取り可能媒体。
【請求項１０】
ディジタルインタフェースによりオーディオビジュアルデータ及びアプリケーションデータのストリームを再生する方法であって、前記アプリケーションデータは第１帯域幅を用いて第１カルーセルによりモジュールにおいて伝送される、方法であり：
（ａ）記憶媒体から及び前記ディジタルインタフェースに対して第２カルーセルによりモジュール内の前記データを再生する段階であって、好適には、前記カルーセルに対して前記ディジタルインタフェースの完全で利用可能な帯域幅を用いる、段階；
を有する方法であり、
（ｂ）前記モジュールは、前記記憶媒体において前記モジュールと共に記憶される繰り返しレートで前記ディジタルインタフェースに対して再生される；
ことを特徴とする方法。
【請求項１１】
請求項１０に記載の方法であって、前記ディジタルインタフェースはトランスポートストリームである、ことを特徴とする方法。
【請求項１２】
請求項１０に記載の方法であって、前記モジュールは、前記モジュールが記録されるとき、前記モジュールがブロードキャストされる再生順序で前記ディジタルインタフェースに再挿入される、ことを特徴とする方法。
【請求項１３】
請求項１０に記載の方法であって、Ｄｏｗｎｌｏａｄ  Ｓｅｒｖｉｃｅ  Ｉｎｉｔｉａｔｉｖｅ（ＤＳＩ）及びＤｏｗｎｌｏａｒｄ  Ｉｎｆｏ  Ｉｎｄｉｃａｔｉｏｎ（ＤＩＩ）メッセージは前記モジュールに含まれ、前記ＤＳＩ及びＤＩＩメッセージを再生するための前記ＤＳＩ及びＤＩＩメッセージの前記繰り返しレートはオリジナルのブロードキャストの繰り返しレートを維持する、ことを特徴とする方法。
【請求項１４】
ディジタルインタフェースによりオーディオビジュアルデータ及びアプリケーションデータのストリームを再生するための装置であって、前記データが第１帯域幅を用いて第１カルーセルによりモジュール内を伝送される、装置であり：
記憶媒体から及び前記ディジタルインタフェースに対して第２ＤＳＭＣＣデータ／オブジェクトカルーセルによりモジュール内の前記データを再生するための再生器；
を有する装置であり、
前記モジュールは、前記記憶媒体において前記モジュールと共に記憶される繰り返しレートで前記ディジタルインタフェースに対して再挿入される；
ことを特徴とする装置。
【請求項１５】
ディジタルインタフェースによりオーディオビジュアルデータ及びアプリケーションデータのストリームを記録するために、コンピュータにより処理するためのコンピュータプログラムを具現化したコンピュータ読み取り可能媒体であって、前記データは第１帯域幅を用いてカルーセルによりモジュール内を伝送される、コンピュータ読み取り可能媒体であり：
（ａ）記憶媒体から及び前記ディジタルインタフェースに対してカルーセルによりモジュール内の前記データを再生するためのコードセグメント；
を有するコンピュータ読み取り可能媒体であり、
（ｂ）前記記憶媒体における前記モジュールと共に記憶される繰り返しレートで、前記モジュールはディジタルインタフェースに対して再挿入される；
ことを特徴とするコンピュータ読み取り可能媒体。
【発明の詳細な説明】
【技術分野】
【０００１】
本発明は、一般に、インタラクティブテレビジョンの分野に関し、特に、音声−映像データとのインタラクティブテレビジョン又は他のストリームの記録に関し、更に、ディジタルインタフェースによるインタラクティブテレビジョンデータストリームの再生に関する。
【背景技術】
【０００２】
インタラクティブテレビジョン（ｉＴＶ）は益々普及してきている。インタラクティブテレビジョンの例はマルチメディアホームプラットホーム（ＭＨＰ）である。そのマルチメディアホームプラットホーム（ＭＨＰ）は、インタラクティビティをディジタルテレビジョン（ＤＴＶ）に結合させるように並びにインターネット及びワールドワイドウェブにアクセスするように意図されたディジタルビデオブロードキャスティング（ＤＶＢ）標準器である。ＤＴＶサービスプロバイダは、ＴＶセット及びそのコンテンツとビューア／ユーザのインタラクションを可能にする、非常に多様なオーディオビジュアル（Ａ／Ｖ）テレビジョンプログラム及びアプリケーションを提供する。
【０００３】
ＭＨＰのようなインタラクティブテレビジョンコンテンツは、ＤＳＭＣＣ（Ｄｉｇｉｔａｌ  Ｓｔｏｒａｇｅ  Ｍｅｄｉａ  Ｃｏｍｍａｎｄ  ａｎｄ  Ｃｏｎｔｒｏｌ）オブジェクトカルーセルによりモジュール内のトランスポートストリーム（ＴＳ）においてアプリケーションとして伝送される。ＤＳＭＣＣモジュールは、音声／映像コンテンツとして同じＴＳにおいて伝送される。ＤＳＭＣＣデータ／オブジェクトカルーセルは、ブロードキャストチャネルの下のオーディオビジュアルコンテンツと共にＴＳにおいて、どのようにそして何時、アプリケーションを有するモジュール／ファイルを送信するかを規定する。必要なファイルを要求するために受信装置のためのサーバへの接続は存在しない。全てのファイルは、何時でも、例えば、１０秒置きに繰り返し、送信される。例えば、セットトップボックス（ＳＴＢ）のようなＭＨＰ端子等のインタラクティブテレビジョン端子は、それらが同調したときに必要とするファイルを探す。
【０００４】
ブロードキャストトランスポートストリームにおいて、モジュールは繰り返されるが、異なるモジュールは異なる周波数で繰り返されることが可能である。ブロードキャストにおけるモジュールの順序及び繰り返しレートの選択は、モジュールがどのように用いられるかについての知識に基づくことができ、それ故、繰り返しレート及びモジュールの順序はブロードキャストされる特定のアプリケーションに対して最適化される。
【０００５】
ブロードキャストストリームを記録するためにビデオテープを用いてアナログテレビジョンブロードキャストのための今日のビデオレコーダと類似して、インタラクティブテレレビジョンのためのディジタルビデオレコーダは、記録されたブロードキャストを記憶するための光ディスクのような取り外し可能媒体か又はハードディスクのどちらかを用いて進展されている。インタラクティブテレビジョンのためのディジタルビデオレコーダは、何時か、後の時点における再生のためにＡ／Ｖテレビジョンコンテンツ及びアプリケーションの両方を記録する。
【０００６】
インタラクティブテレビジョンを記録するとき、ｉＴＶモジュール／ファイルはトランスポートストリームから抽出される。それらのモジュールは、一般に、個別のファイルにおけるトランスポートストリームの外部に記憶される。一部の場合には、記憶されたモジュールは、ＭＨＰスタックを有する外部のＳＴＢにディジタルインタフェースを介して再生するためにトランスポートストリームに再挿入される。
【０００７】
記憶されたモジュールがトランスポートストリームに再挿入されるとき、モジュール内のファイルの使用は既知ではないため、モジュールのレートを最適化することは可能ではない。このことは、トランスポートストリームの再構成に繋がることが可能であり、例えば、ＳＴＢのＣＰＵは付加が掛け過ぎであるため、ｉＴＶのアプリケーションは、例えば、ＳＴＢにより適切に実行されることができない。
【発明の開示】
【発明が解決しようとする課題】
【０００８】
本発明は、上記の欠点を克服し、同時提出の特許請求の範囲の独立請求項に従って、方法、装置及びコンピュータ読み取り可能媒体を提供することにより、上記問題点を解決する。
【課題を解決するための手段】
【０００９】
本発明に従った一般的な解決方法について、以下に説明する。トランスポートストリームにおけるように、ディジタルインタフェースに対してＤＳＭＣＣデータ／オブジェクトカルーセルを再生するとき、ＤＳＭＣＣデータ／オブジェクトカルーセルに対して利用可能な完全帯域幅を用いることにより、オリジナルのブロードキャストに対して性能を改善される。利用可能な付加帯域幅を用いることにより、オリジナルにおけるより、より頻繁にモジュールを繰り返すことが可能になり、それ故、アプリケーションをロードするために時間に関してインタラクティブアプリケーションの性能はオリジナルのブロードキャストに対して改善されることができる。
【００１０】
特に、モジュールは、最適な方法でＤＳＭＣＣ化ルーセルに再挿入される。特に、非常に使用されるファイルを担持するモジュールはより頻繁に繰り返される。ＤＳＭＣＣモジュールを記録するとき、モジュールの相対繰り返しレートが計算される。繰り返しレートはモジュールと共に記憶される。モジュールに関連する記憶された繰り返しレートは、記録されたモジュールからトランスポートストリームを再生するときに用いられる。トランスポートストリームを再多重化するとき、モジュールは、好適には、同じ相対的頻度でトランスポートストリームに挿入される。モジュールの相対的特性は、好適には、ＭＨＰ情報ファイルと呼ばれる構成ファイル及び付加情報において、ＭＨＰの場合には、モジュールと共に記憶される。好適には、モジュールの相対的特性は、モジュールと同じ記憶媒体に記憶される。
【発明を実施するための最良の形態】
【００１１】
図１は、記録モードにおける記録システム１に対する模式的概観図である。例えば、ＭＨＰのようなオーディオビジュアルデータ及びアプリケーションデータを有するインタラクティブテレビジョンコンテンツ又は他のストリームは、ＤＳＭＣＣ（Ｄｉｇｉｔａｌ  Ｓｔｏｒａｇｅ  Ｍｅｄｉａ  Ｃｏｍｍａｎｄ  ａｎｄ  Ｃｏｎｔｒｏｌ）オブジェクトカルーセルによりモジュール内のトランスポートストリーム（ＴＳ）においてアプリケーションを伝送する。オーディオビジュアルコンテンツは、ＤＳＭＣＣデータカルーセルによりモジュール内の同じＴＳにおいて伝送される。ＭＨＰのようなインタラクティブテレビジョンコンテンツは、ＤＳＭＣＣ（Ｄｉｇｉｔａｌ  Ｓｔｏｒａｇｅ  Ｍｅｄｉａ  Ｃｏｍｍａｎｄ  ａｎｄ  Ｃｏｎｔｒｏｌ）オブジェクトカルーセルによりモジュール内のトランスポートストリーム（ＴＳ）においてアプリケーションを伝送される。ＭＨＰのようなインタラクティブテレビジョンコンテンツは、ＤＳＭＣＣ（Ｄｉｇｉｔａｌ  Ｓｔｏｒａｇｅ  Ｍｅｄｉａ  Ｃｏｍｍａｎｄ  ａｎｄ  Ｃｏｎｔｒｏｌ）オブジェクトカルーセルによりモジュール内のトランスポートストリーム（ＴＳ）においてアプリケーションを伝送される。ＭＨＰのようなインタラクティブテレビジョンコンテンツは、ＤＳＭＣＣ（Ｄｉｇｉｔａｌ  Ｓｔｏｒａｇｅ  Ｍｅｄｉａ  Ｃｏｍｍａｎｄ  ａｎｄ  Ｃｏｎｔｒｏｌ）オブジェクトカルーセルによりモジュール内のトランスポートストリーム（ＴＳ）においてアプリケーションを伝送する。ＭＨＰのようなインタラクティブテレビジョンコンテンツは、ＤＳＭＣＣ（Ｄｉｇｉｔａｌ  Ｓｔｏｒａｇｅ  Ｍｅｄｉａ  Ｃｏｍｍａｎｄ  ａｎｄ  Ｃｏｎｔｒｏｌ）オブジェクトカルーセルによりモジュール内のトランスポートストリーム（ＴＳ）においてアプリケーションを伝送される。オーディオビジュアルコンテンツは同じＴＳにおいて伝送される。
【００１２】
ＭＨＰのようなインタラクティブテレビジョンコンテンツは、ＤＳＭＣＣ（Ｄｉｇｉｔａｌ  Ｓｔｏｒａｇｅ  Ｍｅｄｉａ  Ｃｏｍｍａｎｄ  ａｎｄ  Ｃｏｎｔｒｏｌ）オブジェクトカルーセル２によりモジュール内１２のトランスポートストリーム（ＴＳ）におけるように、ディジタルインタフェース２０に対して伝送される。オーディオビジュアルコンテンツは同じＴＳ２０において伝送される。矢印１０は、時間経過につれてのカルーセルにおけるオブジェクト１１の回転を示している。ＴＳ２０は、ＭＨＰビデオレコーダのような記録器により受信される。記録器３０は、ファイル／オブジェクト３２がＴＳから記録される記憶媒体３１を有する。
【００１３】
図２は、再生モードにおけるｉＴＶ記録システム３に対する模式的概観図である。記録されたインタラクティブテレビジョンコンテンツからのファイル／モジュール３２は、記憶媒体３１からＤＳＭＣＣオブジェクトカルーセル４にトランスファされる。図２に示すように、ファイル／モジュール及びオーディオビジュアルコンテンツは、ＤＳＭＣＣオブジェクトカルーセル４によりモジュール内のトランスポートストリーム（ＴＳ）におけるように、ディジタルインタフェース４５によりブロードキャストされる。矢印１０は、時間経過につれてのカルーセルにおけるオブジェクト１１の回転を示している。ＴＳ４５は、例えば、セットトップボックス（ＳＴＢ）のような受信装置５０により受信される。
【００１４】
トランスポートストリームにおけるように、ディジタルインタフェースに対してＤＳＭＣＣデータ／オブジェクトカルーセルを再生するとき、好適には、ＤＳＭＣＣデータ／オブジェクトカルーセルに対して利用可能である完全帯域幅を用いることにより、オリジナルのブロードキャストに対して改善される。これは、例えば、ＳＩデータに対するＭＰＥＧ−２トランスポートストリームにおいて許容されたビットレートにより限定され、１Ｍｂｐｓに等しいＳＩデータに対するものである。実際の繰り返し数は、好適には、より高い帯域幅が利用可能であるため、オリジナルの繰り返しレートに比べて大きい。これは、ディジタルインタフェースがブロードキャストリンクに比べてより広い帯域幅を一般に割り当てることができるという事実によるものである。利用可能な付加的帯域幅を用いることにより、モジュールはオリジナルより頻繁に繰り返されることが可能であり、それ故、オリジナルのブロードキャストに対して性能は改善されることができる。
【００１５】
モジュールが最適な方法でカルーセルに挿入されることを確実にするために、ＤＳＭＣＣモジュールを記録するとき、本発明の実施形態に従って、モジュールの相対繰り返しレートは、図３に示すように、方法６の段階６０において計算される。繰り返しレートは、段階６１においてモジュールと共に記憶される。ブロードキャストの記録中、好適には、各々のモジュールの繰り返し数は、モジュールが繰り返される時間中、カウントされ、好適には、モジュールのバージョンにおける変化は無視される。それらの値の相対的サイズは、各々の記録されたモジュールの相対的優先順位を与える。モジュールの想定的優先順位は、ＭＨＰの場合、好適には、ＭＨＰ情報ファイルにおいて、モジュールと共に記憶される。好適には、モジュールの相対的優先順位は、モジュールと同じ媒体に記憶される。
【００１６】
モジュールに関連する、記憶された繰り返しレートは、図４に従って、本発明の他の実施形態における記録されたモジュールからのトランスポートストリームを再生するとき、用いられる。これは、オリジナルのブロードキャストにおけるのと同じ、モジュールに対する相対的優先順位を確実にする。トランスポートストリームを再多重化するとき、モジュールは、好適には、同じ相対的頻度でトランスポートストリームに再挿入される。方法７の段階７０において、記憶されたモジュールの繰り返しレートが検索され、段階７１において、モジュールは、記憶された繰り返しレートの値に基づいて、オリジナルのブロードキャストにおけるのと同じ頻度で挿入される。
【００１７】
他の実施形態においては、モジュールの繰り返しレートは、ブロードキャストの過程中、変わることが可能であると仮定される。それ故、繰り返しレートは、繰り返しレートにおける変化を反映するようにブロードキャストの各々のセグメントに対して記憶される。
【００１８】
本発明の他の実施形態に従って、モジュールがブロードキャストされる順序は、トランスポートストリームを再多重化するとき、再生される。この方法において、再構成されたトランスポートストリームは又、モジュール間の依存性に関して最適化される、モジュールが再生されたＴＳに再挿入される順序は、オリジナルＴＳにおけるモジュールの順序と同じである。その順序は、好適には、ｉＴＶ記憶媒体であって、例えば、ＭＨＰ情報ファイルにおいて明示的に記憶される。代替として、この情報は、モジュールがｉＴＶ記憶媒体であって、例えば、ＭＨＰモジュールファイルに記憶されている順序により暗黙的に構成されている。
【００１９】
実際のモジュールデータと同様に、トランスポートストリームは：
●  Ｄｏｗｎｌｏａｄ  Ｓｅｒｖｉｃｅ  Ｉｎｉｔｉａｔｉｖｅ（ＤＳＩ）及び
●  Ｄｏｗｎｌｏａｄ  Ｉｎｆｏ  Ｉｎｄｉｃａｔｉｏｎ（ＤＩＩ）メッセージ
を有する。
【００２０】
それらは又、ストリームにおいて繰り返され、それ故、上記の説明に従って、記録される。ストリームにおけるそれらのメッセージの繰り返しが増加することにより、受信されるＳＴＢのＣＰＵのオーバーロードがもたらされ得る。それらのメッセージのサイズは小さいため、それらのメッセージは、モジュールとは対照的に、ブロードキャストにおいてかなり広い帯域幅を取り上げることはない。それ故、ブロードキャストにおける繰り返しレートは、最適化することが期待される。それらのメッセージに対して、オリジナルの繰り返しレートは、好適に維持される。これは、好適には、オリジナルにおける繰り返し数をカウントすることにより及び繰り返し頻度を計算することによりなされる。
【００２１】
ＭＨＰは、トランスポートストリームにおいてＭＨＰコンテンツをトランスポートするためにＤＳＭＣＣオブジェクトカルーセルを用いる。本発明に従った解決方法はＭＨＰに対して特定ではないが又、ＤＳＭＣＣオブジェクトカルーセル又はＤＳＭＣＣデータ化ルーセルにおける他のｉＴＶコンテンツブロードキャストに対して有効である。
【００２２】
本発明の他の実施形態に従って、ディジタルインタフェース８０によりインタラクティブテレビジョンデータを記録及び／又は再生するための装置８について図５に示し、前記データは、第１帯域幅を用いてＤＳＭＣＣデータ／オブジェクトカルーセルによりモジュール内に伝送される。装置８は、前記ＤＳＭＣＣカルーセルにおける前記モジュールの繰り返しレートを計算するための処理ユニットと、前記装置の記憶媒体に前記ディジタルインタフェースから、前記モジュールの前記繰り返しレートと共に前記モジュールを記録するための記憶器８２とを有する。データは、前記記憶媒体８３から及び前記ディジタルインタフェースに対してＤＳＭＣＣデータ／オブジェクトカルーセルによりモジュール内の前記データを再生するために再生器８４を用いて再生する。モジュールは、好適には、前記記憶媒体において前記モジュールと共に記憶される繰り返しレートでトランスポーストリームにおいて再挿入される。
【００２３】
本発明の他の特徴に従って、コンピュータ９０により処理するためのコンピュータプログラムを具現化するコンピュータ読み取り可能媒体９を図６により示す。インタラクティブテレビジョンデータはディジタルインタフェースにより記憶及び／又はストリーミングされ、前記データは、第１帯域幅を用いてＤＳＭＣＣデータ／オブジェクトによりモジュール内に伝送される。コンピュータプログラムは、前記ＤＳＭＣＣカルーセルにおいて前記モジュールの繰り返しレートを計算するための第１コードセグメント９１を有する。第２コードセグメント９２は、前記ディジタルインタフェースから記録器の記憶媒体に、前記モジュールの前記繰り返しレートと共に、前記モジュールを記録するためのコンピュータプログラムに含まれる。代替として、モジュールが前記記憶媒体において既に記憶されている場合、第３コードセグメント９３は、前記記憶媒体から及び前記ディジタルインタフェースに対してＤＳＭＣＣデータ／オブジェクトカルーセルによりモジュール内に前記データを再挿入する。モジュールは、好適には、前記記憶媒体において前記モジュールと共に記憶される繰り返しレートでトランスポートストリームに再挿入される。
【００２４】
本発明は、特定の実施形態に関して、上記のように説明した。しかしながら、上記の好適な実施形態以外の実施形態であって、例えば、ハードウェア又はソフトウェア等により上記の方法を実行する、上記のフィールドパターンと異なるフィールドパターンが、同時提出の特許請求の範囲内で、同等に可能である。
【００２５】
更に、用語“を有する”は他の要素又は段階を排除するものではなく、単数表現は複数表現を排除するものではなく、そして、単一の処理器又は他のユニットは請求項に記載している幾つかのユニット又は回路の機能を実行することが可能である。
【００２６】
要約すると、本発明は、ディジタルインタフェース（４５）によりインタラクティブテレビジョンデータを記録及び／又は再生するための方法（６、７）及び装置（８）に関し、前記データは第１帯域幅を用いてＤＳＭＣＣデータ／オブジェクト（２）によりモジュール内に伝送される。その方法は、前記ＤＳＭＣＣカルーセル（２）における前記モジュールの繰り返しレートを計算する段階、前記ディジタルインタフェース（４５）から記録器の記憶媒体に前記モジュールの前記繰り返しレートと共に前記モジュールを記録する段階、並びに／若しくは、記憶媒体から及び前記ディジタルインタフェース（４５）に対して第２ＤＳＭＣＣデータ／オブジェクトカルーセル（４）によりモジュール内の前記データを再生する段階を有し、前記モジュールは、好適には、前記記憶媒体において前記モジュールと共に記憶される繰り返しレートにおいて、例えば、トランスポートストリームに、ディジタルインタフェース（４５）に対して再挿入される。
【図面の簡単な説明】
【００２７】
【図１】記録モードにおけるｉＴＶ記録システムの模式的概観図である。
【図２】再生モードにおけるｉＴＶ記録システムの模式的概観図である。
【図３】本発明に従った方法の実施形態についてのフロー図である。
【図４】本発明に従った方法の他の実施形態についてのフロー図である。
【図５】本発明に従った装置の実施形態を模式的に示す図である。
【図６】本発明に従ったコンピュータ読み取り可能媒体を示す図である。
【図１】
2006513666.tif 000003
【図２】
2006513666.tif 000004
【図３】
2006513666.tif 000005
【図４】
2006513666.tif 000006
【図５】
2006513666.tif 000007
【図６】
2006513666.tif 000008
【国際調査報告】
2006513666.tif 000009
2006513666.tif 000010
2006513666.tif 000011